(57)【特許請求の範囲】
【請求項１】
ゴム状弾性中空体よりなり一定圧力の空気が封入されるインナーチューブと、該インナーチューブの表面側に形成された表皮層と、上記インナーチューブ内に収納されたバウンド抑制材とを備えた球技用ローバウンドボールにおいて、上記バウンド抑制材が、所定の比重をもつ複数の第１フォーム体と、該第１フォーム体より大きい比重をもつ複数の第２フォーム体よりなり、上記複数の第１フォーム体の各々に上記複数の第２フォーム体の各々が結合されてなるとともに、該バウンド抑制材が上記インナーチューブ内に密に充填されてなる球技用ローバウンドボール。
【請求項２】
上記第１フォーム体の比重が0.01ないし0.07の範囲にて、上記第２フォーム体の比重が0.10ないし0.25の範囲にて設定されるとともに、上記第１フォーム体が上記バウンド抑制材の全重量の20ないし40％の範囲にて、上記第２フォーム体が上記バウンド抑制材の全重量の60ないし80％の範囲にて設定されてなる請求項１記載の球技用ローバウンドボール。
【請求項３】
上記第１フォーム体がウレタンフォームにて、また第２フォーム体がラテックスフォームにて形成される請求項１又は２記載の球技用ローバウンドボール。
【発明の詳細な説明】
【０００１】
【発明の属する技術分野】
本発明は、球技用ローバウンドボール特にフットサル、フットボールサラ、ガーデンフットボール、サロンフットボールと呼ばれるミニサッカーゲームに使用して好適なローバウンドボールに関する。
【０００２】
【従来の技術】
近時、国際サッカー連盟によって統一ルールが制定された５人制のミニサッカーゲームフットサルにおいては、通常のサッカーボールよりもバウンドの低いローバウンドボールが使用される。このローバウンドボールは、上記国際サッカー連盟の規格により、４号球（周囲６２〜６６ｃｍ、直径２０ｃｍ）  、重量３９０  〜４３０ｇと規定され、またそのバウンドは、２ｍの高さから落下させたとき、その最初のバウンドの高さが、６５ｃｍ以下と規定されている。かかるローバウンドボールの重量は、通常のサッカーボールより約１００ｇ重く、またバウンド高さは、約６０ｃｍ低い。従来このバウンドを低くするバウンド抑制材としてスポンジ屑、革屑等をインナーチューブ内に収納する構造が知られている（  特公昭６０−３３０７６号公報）  。
【０００３】
【発明が解決しようとする課題】
フットサル等は、通常のサッカーコートの数分の一或いは十数分の一の大きさのコートで競技されるため、狭いコートに適応するようサッカー競技とは異なるルールが設定されている。例えばサッカー競技におけるスローインに代えてキックインが採用されている。ボールをキックインする場合、ボールを床面或いは地面に置いてまず静止させなければならないが、従来構造のローバウンドボールはスポンジ屑、皮屑等がインナーチューブ内で偏在してボールの重心が中心からずれることがあり、所定の位置においてもそこで静止しないという問題があった。また、かかる重心の偏心に起因して、ボールが真っ直ぐに転がらない、バウンド方向がずれる、或いは蹴ったボールが空中で不自然に振れる等の問題が発生していた。
【０００４】
本発明は、このような問題を解決するためになされたもので、ボールの重心と中心を一致させたローバウンドボールを提供するものである。
【０００５】
【課題を解決するための手段】
本発明は、ゴム状弾性中空体よりなり一定圧力の空気が封入されるインナーチューブと、該インナーチューブの表面側に形成された表皮層と、上記インナーチューブ内に収納されたバウンド抑制材とを備えた球技用ローバウンドボールにおいて、上記バウンド抑制材が、所定の比重をもつ複数の第１フォーム体と、該第１フォーム体より大きい比重をもつ複数の第２フォーム体よりなり、上記複数の第１フォーム体の各々に上記複数の第２フォーム体の各々が結合されてなるとともに、該バウンド抑制材が上記インナーチューブ内に密に充填されてなるものである。かくすれば、第１、第２フォーム体よりなる組が複数個形成されこれがインナーチューブ内に分散されるからインナーチューブ内の密度は一定に保たれボールの重心と中心は一致する。
【０００６】
また本発明は、上記第１フォーム体の比重が０．０１ないし０．０７の範囲にて、上記第２フォーム体の比重が０．１０ないし０．２５の範囲にて設定されるとともに、上記第１フォーム体が上記バウンド抑制材の全重量の２０ないし４０％の範囲にて、上記第２フォーム体が上記バウンド抑制材の全重量の６０ないし８０％の範囲にて設定されてなる。これより２ｍの高さから落下させたときの最初のバウンドの高さは６５ｃｍ以下に抑えられる。
【０００７】
また本発明は、上記第１フォーム体がウレタンフォームにて、また第２フォーム体がラテックスフォームにて形成される。ウレタンフォームは、比重の小さいフォームの形成に適し、ラテックスフォームは比重の大きいフォームの形成に適している。
【０００８】
【発明の実施の形態】
図１において、１は、ローバウンドボールで、ブチルゴム等空気透過性の小さいゴムを中空球体に形成したインナーチューブ２，インナーチューブ２を収納する表皮層３及び空気注入用のバルブ４を有する。表皮層３は、２０枚の６角形皮革パネルと１２枚の５角形皮革パネル５、５、…が縫い合わされて球形に形成されたものである。皮革材料としては、天然皮革又は人工皮革が使用される。係る構造は、縫いボールと称される通常のサッカーボールと同一である。なおボールの形態は縫いボールのほか貼りボール、すなわちインナーチューブの外周にナイロン糸を数千ｍ巻いて補強層を形成し、この補強層上に前述と同様の形状の皮革パネルを接着して表皮層を形成した構造のボールとすることもできる。
【０００９】
６は、バウンド抑制材で、複数の第１フォーム体７、７、…及び複数の第２フォーム体８、８、…よりなる。１個の第１フォーム体７と１個の第２フォーム体８とは、互いに結合されている。図２は、１組の第１フォーム体７と第２フォーム体８を示し、第１フォーム体７は、直方体に形成され、かつ中央に円筒形の孔９が設けられている。第２  フォーム体８は立方体に形成され、第１フォーム体７の孔９内に収納され固定されている。両者の固定は、第２フォーム体８の形状を孔９の径より大きくすることにより、或いは接着剤を用いて固定される。図３は第１、第２フォーム体７、８の別の実施の形態を示し、直方体の第１フォーム体７に切り込み１０を形成し、この切り込み１０に第２フォーム体８を挟み、接着剤にて固定したものである。
【００１０】
第１フォーム体７は、連泡状多孔質のウレタンフォームにて、また第２フォーム体８は、連泡状多孔質のラテックスフォームにて形成することができる。ウレタンフォームは、ウレタンのエステルタイプフォームである。ウレタンフォームは、比重が０．０１ないし０．０７の範囲で安定して製造でき、またラテックスフォームは比重が０．１０ないし０．２５の範囲で安定して製造できる。すなわち上記２種のフォームは、それぞれの比重の範囲内において、所望の比重のフォームを均一かつ安定に製造することができ、この範囲を外れると、比重、均一性等において設計通りの製造が難しいのである。
【００１１】
第１フォーム体７は、バウンド抑制材６全体の重量の２０ないし４０％の範囲で、また第２フォーム体８は、バウンド抑制材６全体の重量の６０ないし８０％の範囲で調整される。かくすればこれら２種類のフォームによりバウンド抑制材６全体の比重を約０．０８、全重量を約１００ｇとすることができ、ボールのバウンドを規格以内に抑えることができる。すなわち第１フォーム体７を、２０重量％に満たない値に設定すると、フォーム体全体積が、インナーチューブ２の容積より小さくなり、インナーチューブ２内に隙間は生じてボールの運動時フォーム体が移動し、ボールの重心がボールの中心からずれるという問題を生じる。また第１フォーム体７が、４０重量％を越えると、バウンドが高くなり、これもまた競技に支障を及ぼす原因となる。またこれらの範囲外では、重量が国際サッカー連盟の規格にも外れるものとなる。
【００１２】
第２フォーム体８の量が上記範囲を外れた場合にも、前述と同様の弊害が生じる。すなわち第２フォーム体８の重量が６０％より小さいと軽くなり過ぎ必要以上にバウンドが高くなり、逆に８０％より大きいとフォーム体の全体積が、インナーチューブ２の容積より小さくなり、インナーチューブ２内に隙間が生じてボールの運動時フォーム体が移動し、ボールの重心がボールの中心からずれるという問題を生じる。またかかる範囲では、バウンドが低過ぎ、競技に支障を及ぼすという問題も発生する。上記範囲の比重及び重量に設定すると、その体積は４号球インナーチューブの容積より僅か大きい値となり、それ故バウンド抑制材６はインナーチューブ２内に密に充填されることとなり、ボールの運動に伴ってバウンド抑制材６がインナーチューブ２内で大きく転動するおそれはない。
【００１３】
【実施例】
第１フォーム体７は、縦３５ｍｍ、横３５ｍｍ、高さ３０ｍｍの直方体に形成され、中央に直径２０ｍｍの円筒形の孔９が設けられている。第２フォーム体８は、一辺が２０ｍｍの立方体である。この立方体の対角線は約２８ｍｍであるから、これを第１フォーム体７の孔９に押し込むのみで、第２フォーム体８を第１フォーム体７の固定することができる。表１はかかるバウンド抑制材６を使用したときのバウンド高さ及び静止性を測定した結果を示す。ボールの静止性は、水準器によって水平に設定した平盤上に直径６０ｃｍの円を描き、その中心にボールを置いたとき、自然に転がって円の外へ出るか否かで判定した。またボールの置き方は、ボールの表面の９０度離れた６  つの点（  赤道上の４  点と両極の２  点）  を載置点として設定し、全ての点で上記円内に留まったボールを良とした。なおボールの内圧は、０．８ｋｇ／ｃｍ２  、室温は２５℃であった。
【００１４】
【表１】
0003627773.tif 000002
【００１５】
表１から明らかなように第１、第２フォーム体７、８の重量％を変えた４個のボール（実際にはバウンド抑制材６の全重量は１００ｇであり、各フォーム体の重量％は重量に等しい）  についての試験では、全部にボールにつきバウンド高さ及び静止性ともに基準をクリアした。また実施例に係るボールを用いて床上で、回転性、転がりの直進性、空中でのブレ、バウンドのブレ等につき検査した結果、いずれも問題がないことを確認した。比較のため、実施例と略同様の形状を有する第１、第２フォーム体７、８を、実施例と略同様の重量％比でインナーチューブ内にバラバラに収納したボールについて同様の試験を行なった。かかるボールでは、約８割のボールが静止性に問題があることが分かった。
【００１６】
【発明の効果】
本発明( 請求項１）によれば、バウンド抑制材が、所定の比重をもつ複数の第１フォーム体と、該第１フォーム体より大きい比重をもつ複数の第２フォーム体よりなり、上記複数の第１フォーム体の各々に上記複数の第２フォーム体の各々が結合されてなるとともに、該バウンド抑制材がボールのインナーチューブ内に密に充填されてなるものであるから、ボールの重心を中心に一致させることができる。それ故ボールの静止性、転がり或いは空中での軌跡の直線性等にブレを生じることはなく、競技しやすいローバウンドボールが実現できる。
【００１７】
また本発明（請求項２）によれば、第１フォーム体と第２フォーム体の比重及び重量％を所定の範囲内で設定することにより、インナーチューブ内を密に充填して蹴球時等におけるボール表面の感触を一様とし、かつバウンド高さをフットサル、フットボールサラ、ガーデンフットボール、サロンフットボールと呼ばれるミニサッカーゲームに適した低い値に設定することができる。
【００１８】
また本発明（請求項３）によれば、第１フォーム体をウレタンフォームにて、また第２フォーム体をラテックスフォームにて形成することにより、その比重及び重量の調整がしやすく、したがってインナーチューブ内の容積を十分満たす平均比重、体積に設定したバウンド抑制材を実現することができる。
【図面の簡単な説明】
【図１】本発明実施の形態に係る球技用ローバウンドボールの断面図である。
【図２】第１、第２フォーム体を示す斜視図である。
【図３】第１、第２フォーム体の別の実施の形態を示す斜視図である。
【符号の説明】
１………ローバウンドボール
２………インナーチューブ
３………表皮層
４………バルブ
５………皮革パネル
６………バウンド抑制材
７………第１フォーム体
８………第２フォーム体
９………孔
１０………切り込み
【図１】
0003627773.tif 000003
【図２】
0003627773.tif 000004
【図３】
0003627773.tif 000005